【事件の表示】
　特願２００７−２９２９６４「クライアントにウェブ・サービスを提供するための方法、コンピュータ・プログラム及びシステム」拒絶査定不服審判事件〔平成２０年　６月２６日出願公開、特開２００８−１４６６３９〕について、次のとおり審決する。
【結　論】
　本件審判の請求は、成り立たない。
【理　由】
　
第１．手続の経緯
　
　本件審判請求に係る出願（以下、「本願」という。）は、平成１９年１１月１２日（パリ条約による優先権主張外国庁受理２００６年１２月１１日、米国）を出願日とする出願であって、平成２２年７月２６日付けで審査請求がなされ、平成２４年９月２７日付けで拒絶理由通知（同年１０月２日発送）がなされ、同年１２月１８日付けで意見書が提出されるとともに、同日付けで手続補正がなされたが、平成２５年２月２８日付けで拒絶査定（同年３月５日謄本送達）がなされた。
　これに対して、本件審判請求は、「原査定を取り消す。この出願の発明は特許すべきものであるとの審決を求めます。」とのことを請求の趣旨として、平成２５年３月１９日付けで審判請求がなされるとともに、同日付けで手続補正がなされ、同年８月１３日付けで審査官により特許法第１６４条第３項に定める報告（前置報告）がなされ、同年１０月４日付けで当審により特許法第１３４条第４項の規定に基づく審尋（同年１０月８日発送）がなされ、平成２５年１１月１日付けで回答書の提出があったものである。
　
　
第２　本件審判請求の成否について
　
１．本願発明
　
　本願の特許請求の範囲の請求項１に係る発明（以下、「本願発明」という。）は、上記平成２５年３月１９日付け手続補正書により補正された明細書及び図面の記載からみて、その特許請求の範囲の請求項１に記載された以下のとおりのものと認める。
　
「汎用モバイル・ウェブ・サービス・マネージャ（以下「ＧＭＷＳＭ」と略記）を介してクライアントにウェブ・サービスを提供するための方法であって、　
（ａ）ウェブ・サービスの相互依存型リストを有するクライアント・コンピュータが、ユーザ入力に応答して、ユーザに表示した、複数のウェブ・サービスの各々に対応している複数のウェブ・サービスＩＤの前記相互依存型リストから、第１のウェブ・サービスＩＤを選択するステップを含み、　
　前記相互依存型リストは、複数のウェブ・サービスを識別するリスト情報を含み、当該リスト情報は、前記複数のウェブ・サービスのうち前記第１のウェブ・サービスから受信される情報を、その後に要求される第２のウェブ・サービスと関係づけるものであり、要求へ渡される情報のセットが、その要求への応答を与えるその後に要求される第２のウェブ・サービスとして利用され、あるウェブ・サービスは、ＵＲＩによって識別されるソフトウエア・システムであって、そのパブリック・インタフェースおよびバインディングはＸＭＬを使用して定義及び記述されるものであって、　
（ｂ）前記リスト情報に従い、前記選択するステップ（ａ）に応答して、第１のウェブ・サービス要求を前記クライアント・コンピュータから前記第１のウェブ・サービスに送信するステップと、　
（ｃ）前記送信するステップ（ｂ）に応答して、前記第１のウェブ・サービスからの第１の情報を前記クライアント・コンピュータにおいて受信するステップと、　
（ｄ）ユーザ入力に応答して、前記相互依存型リストから前記第２のウェブ・サービスを選択するステップと、　
（ｅ）前記リスト情報に従い、前記第２のウェブ・サービス要求によって要求される第１の情報のうちから少なくとも１の値を識別するステップと、　
（ｆ）前記リスト情報に従い、前記第１の情報から識別された少なくとも１の値を含む第２のウェブ・サービス要求を形成するステップであって、ＧＭＷＳＭによって利用される第２のウェブ・サービスＩＤが第２のウェブ・サービス要求を第２のウェブ・サービスへとダイレクトするために利用される、前記第２のウェブ・サービス要求を形成するステップと、　
（ｇ）前記形成された第２のウェブ・サービス要求を前記クライアント・コンピュータから前記第２のウェブ・サービスに送信するステップと
をさらに含む、方法。」　
　
　
２．引用文献
　
（２−１）引用文献１に記載されている技術的事項及び引用発明の認定
　
　本願の優先日（２００６年１２月１１日）前に頒布され、原審の平成２４年９月２７日付けの拒絶理由通知において引用された、特開２００５−２８４４６６号公報（２００５年１０月１３日出願公開、以下、「引用文献１」という。）には、関連する図面とともに、以下の技術的事項が記載されている。
　（当審注：下線は、参考のために当審で付与したものである。）
　
Ａ　「【技術分野】
【０００１】
　
本発明は、ネットワークを介して互いに接続された利用者端末と複数のサイト間において、第１のサイトにおける情報の検索結果データを流用して他のサイトにおける情報の検索を自動的に行うサービス提供方法とそのシステムに関し、特に、文献情報の検索に好適に用いることができる文献情報検索サービス提供方法とそのシステムおよびプログラムに関する。
　
Ｂ　「【０００７】
　しかし、このサービス提供方法は、予め特定された二つのサイト間での情報の受け渡しを行うものであるため、受け渡す情報も両サイトで流用可能な形式に予め特定されたものであり、複数のサイトの中から利用者により任意に選択され、書式や入力項目自体が異なる可能性がある二つのサイト間での情報の流用を行うことは不可能である。
　すなわち、特許文献１の方法は、第１のサイトで提供される地図情報に含まれる位置情報（経度・緯度）を第２のサイトに受け渡して第２のサイトで前記位置情報にリンクした専門的情報を提供するものである。よって、公開特許情報のように、出願番号，公開番号，登録番号などの複数の文献番号、発明の名称、発明者、技術内容のキーワードといった複数の検索結果データが存在し、且つ日本、米国、ヨーロッパなどの各国特許庁のホームページ毎に検索フォームや入力書式、入力必要項目などが異なるサイト間での情報の流用を行うことは不可能である。　
【０００８】
　
本発明はこのような従来事情に鑑みてなされたもので、その目的とする処は、利用者が、第１のサイトで取得した検索結果を元に第２のサイトでリンク情報の検索を行う場合、マウス操作による複写，貼り付けやキー入力による検索条件入力、別資料の参照や他の検索作業といった余分な手間を一切必要とせず、第２のサイトの指定のみで自動的に該サイトでの検索を行うことができる新規なサービス提供方法とそのシステムを提供することにある。
　
Ｃ　「【００１０】
　すなわち、本発明に係るサービス提供方法は、ネットワークを介して互いに接続された利用者端末と複数のサイト間において、第１のサイトにおける情報の検索結果データを流用して第２のサイトにおける情報の検索を自動的に行うサービス提供方法であって、
　利用者によって指定された第１のサイトにおいて、利用者によって入力された情報の検索を行うと共にその検索結果を利用者端末に表示する段階と、
　前記第１のサイトが提供する検索結果データより、第２のサイトで検索を行うための必要データを自動取得する段階と、
　
前記必要データに基づき、前記第１のサイトが提供する検索結果データを第２のサイトにおける検索に必要とする形式の引数に自動変換する段階と
　
前記変換後の引数を、利用者によって指定された第２のサイトに自動送信して当該第２のサイトにおいて自動検索を行う段階と
　
当該第２のサイトにおける検索結果を利用者端末に表示する段階と
を有することを特徴とする。
　
Ｄ　「【００１７】
　以下、本発明の実施形態の一例を図面を参照して説明する。
　
図１は、本例に係るサービス提供方法を実施するシステムの構成図であり、図中ａは利用者端末、ｂは第１のＷＥＢサイト（以下「第１サイト」と言う）において文献情報の検索と閲覧のサービスを提供する第１文献情報提供サーバー、ｃは第２のＷＥＢサイト（以下「第２サイト」と言う）において文献情報の検索と閲覧のサービスを提供する第２文献情報提供サーバー、ｄはそれらサーバーｂ，ｃで提供される第１サイトと第２サイトをリンクさせるためのリンク情報提供サーバー、ｅはそれら利用者端末ａ，第１文献情報提供サーバーｂ，第２文献情報提供サーバーｃ，リンク情報提供サーバーｄを互いに接続させるインターネット等のネットワーク回線を示す。
【００１８】
　利用者端末ａはパーソナルコンピュータ等のコンピュータ端末であり、インターネット等のネットワーク回線に接続する機能、第１，第２文献情報提供サーバーｂ，ｃにより提供される第１サイト，第２サイトにアクセスして文献情報の検索と閲覧を行う機能等に加えて、本発明に係るプログラムを格納することにより、後述する機能を備える。　
【００１９】
　第１，第２文献情報提供サーバーｂ，ｃは、ＷＷＷサーバーとしての機能を有するサーバーコンピュータであり、文献情報の検索と閲覧のサービスを提供するサイトの運営に必要な機能と各種データベースを備えており、例えば、日本国特許庁のホームページにおける特許電子図書館サイトや、米国特許庁，ヨーロッパ特許庁等のホームページにおける特許情報検索サイトなどを運営するサーバーをあげることができる。　
【００２０】
　リンク情報提供サーバーｄは、ＷＷＷサーバーとしての機能を有するサーバーコンピュータであり、前記第１，第２文献情報提供サーバーｂ，ｃで提供される第１サイトと第２サイトをリンクさせるためのリンク情報を提供する機能を備えている。」　
　
Ｅ　「【００２２】
　
図５は、リンク情報提供サーバーｄから提供されるリンク情報データ（第１サイトと第２サイトのリンク情報）と、利用者端末ａのインターフェースメニュー情報を格納したＸＭＬデータの構成を定義するスキーマの一例であり、これによって、起点となる複数の第１サイトの情報として、サイト名称、各種メニューボタン表示のためのキャプション、サイトＵＲＬが提供されると共に、リンク先となる複数の第２サイトの情報として、サイト名称、各種メニューボタン表示のためのキャプション、サイトＵＲＬ、および、引数のパラメータ書式が提供される。
　
このようなリンク情報データを、システム提供者側のリンク情報提供サーバーｄから取得する仕組みとすることで、利用者が任意に選択するサイトの変更に合わせたリンク情報の変更を、迅速に、全ての利用者端末に反映させることが可能になる。
【００２３】
　
まず、利用者が利用者端末ａのプログラムを起動すると、プログラムはリンク情報提供サーバーｄに対してリンク情報をリクエストして、起点となる複数の第１サイトおよびリンク先となる複数の第２サイトへのリンク情報データの取得とメニュー表示を行う（Ｓ１）。
　
本例では、起点となる複数の第１サイトの情報と、リンク先となる複数の第２サイト情報を、利用者端末ａの画面におけるメニューバー３０１に対して動的に生成する。
【００２４】
　
リンク情報提供サーバーｄから提供されるリンク情報データは、図５に示すような構成を定義するスキーマに従ったインターフェースメニュー情報を格納したＸＭＬデータであり、
　
Ｆ　「【００２５】
　
利用者により、利用者端末ａの画面上の複数のソースメニューから、任意の第１サイト（例えば日本国特許庁の特許電子図書館サイト）が選択されると、プログラムは、リンク情報提供サーバーｄから取得した該当のＵＲＬより、その第１サイトの文献情報提供サーバーｂのホームページデータを取得して第１サイトで提供されるサービス内容をソース表示画面３０２に表示する（Ｓ２）。
【００２６】
　前記ソース画面３０２のようなサービス内容を表示するプログラムは、一般的なアプリケーション作成プログラムで提供されるＷＥＢブラウザコンポーネントを利用することで実現可能である。」　　
　
Ｇ　「【００２７】
　また、ソース画面３０２上での検索のためのメニュー操作も、利用者端末ａの画面上のブラウザメニューバー３００上に配置された、「戻る」３００１、「進む」３００２、「停止」３００３、「更新」３００４などの各ボタンを利用して、通常のＷＥＢブラウザを利用する場合と同様に行うことが可能である。
　
そして、利用者による検索条件の入力、検索実行の指示等に基づく、遷移したＵＲＬ情報とＨＴＭＬ情報の取得により、検索結果一覧表示であることを検知して、検索結果一覧データ（例えば、公開特許公報番号一覧）を内部メモリに記録し、更に、利用者により該検索結果一覧より任意選択された番号（例えば、任意の公開特許公報番号）を記憶する。
　
具体的には、前記ＷＥＢブラウザコンポーネントの情報取得成功・完了（ Document Complete等） イベントが発生したタイミングで、検索結果一覧を表示するＵＲＬであることが確認された場合は、当該ＵＲＬからＨＴＴＰ経由でＨＴＭＬソーステキストを取得し、そこから、第２サイトで検索を行うための必要データを取得する(Ｓ３)。
【００２８】
　一般的な検索サービスシステムでは、利用者の求める情報を表示するために、利用者による検索条件入力画面が用意される。
検索実行指示により利用者によって入力された検索条件データは、検索システムに対して引数として与えられ、検索システムは利用者入力データを機械検索式に変換してデータベース検索を行い、条件に該当する検索結果一覧を表示する。
　
これに対し、本例のシステムでは、利用者により第２サイトメニュー３０１５，３０１６の中から任意の第２サイト（例えば、米国特許庁ホームページにおける特許情報検索サイト）が選択されたときに、リンク情報提供サーバーｄからプログラム起動時に取得したリンク情報データ内の、第２サイトの引数となるパラメータ書式に従って、該第２サイトで検索を行うための必要データを取得し、変換したデータを引数とする。
【００２９】
　
具体的には、前記インターフェースメニュー情報を格納したＸＭＬデータの第２サイトＵＲＬ中のパラメータ位置（％ｓ）に、パラメータリスト（ここでは、_JPO_Application Number）に記述した関数名に従った必要データ（ここでは、出願番号）による補完を行うことで、第２サイトＵＲＬを完成させる（図６参照）。
　
　ここで、上記引用文献１に記載されている事項を検討する。
　
（ア）上記Ａの「本発明は、ネットワークを介して互いに接続された利用者端末と複数のサイト間において、第１のサイトにおける情報の検索結果データを流用して他のサイトにおける情報の検索を自動的に行うサービス提供方法とそのシステムに関し、特に、文献情報の検索に好適に用いることができる文献情報検索サービス提供方法とそのシステムおよびプログラムに関する。」との記載、上記Ｂの「本発明はこのような従来事情に鑑みてなされたもので、その目的とする処は、利用者が、第１のサイトで取得した検索結果を元に第２のサイトでリンク情報の検索を行う場合、マウス操作による複写，貼り付けやキー入力による検索条件入力、別資料の参照や他の検索作業といった余分な手間を一切必要とせず、第２のサイトの指定のみで自動的に該サイトでの検索を行うことができる新規なサービス提供方法とそのシステムを提供することにある。」との記載、上記Ｄの「図１は、本例に係るサービス提供方法を実施するシステムの構成図であり、図中ａは利用者端末、ｂは第１のＷＥＢサイト（以下「第１サイト」と言う）において文献情報の検索と閲覧のサービスを提供する第１文献情報提供サーバー、ｃは第２のＷＥＢサイト（以下「第２サイト」と言う）において文献情報の検索と閲覧のサービスを提供する第２文献情報提供サーバー、ｄはそれらサーバーｂ，ｃで提供される第１サイトと第２サイトをリンクさせるためのリンク情報提供サーバー、ｅはそれら利用者端末ａ，第１文献情報提供サーバーｂ，第２文献情報提供サーバーｃ，リンク情報提供サーバーｄを互いに接続させるインターネット等のネットワーク回線を示す。」との記載からすると、「リンク情報提供サーバー」もネットワークを介して、「利用者端末」と「複数のサイト」に接続されていることは自明であるから、引用文献１には、
「ネットワークを介して互いに接続された利用者端末と複数のサイトとリンク情報提供サーバーにおいて、利用者端末が第１のサイトにおける情報の検索結果データを流用して他のサイトにおける情報の検索を自動的に行うことを可能としたサービス提供方法」
が記載されていると解される。
　
（イ）上記Ｅの「まず、利用者が利用者端末ａのプログラムを起動すると、プログラムはリンク情報提供サーバーｄに対してリンク情報をリクエストして、起点となる複数の第１サイトおよびリンク先となる複数の第２サイトへのリンク情報データの取得とメニュー表示を行う（Ｓ１）。本例では、起点となる複数の第１サイトの情報と、リンク先となる複数の第２サイト情報を、利用者端末ａの画面におけるメニューバー３０１に対して動的に生成する。」との記載、上記Ｆの「利用者により、利用者端末ａの画面上の複数のソースメニューから、任意の第１サイト（例えば日本国特許庁の特許電子図書館サイト）が選択されると、プログラムは、リンク情報提供サーバーｄから取得した該当のＵＲＬより、その第１サイトの文献情報提供サーバーｂのホームページデータを取得して第１サイトで提供されるサービス内容をソース表示画面３０２に表示する（Ｓ２）。」との記載からすると、起動された利用者端末は、リンク情報提供サーバーから取得したリンク情報データを有していると解される。
　また、上記Ｅの「図５は、リンク情報提供サーバーｄから提供されるリンク情報データ（第１サイトと第２サイトのリンク情報）と、利用者端末ａのインターフェースメニュー情報を格納したＸＭＬデータの構成を定義するスキーマの一例であり、これによって、起点となる複数の第１サイトの情報として、サイト名称、各種メニューボタン表示のためのキャプション、サイトＵＲＬが提供されると共に、リンク先となる複数の第２サイトの情報として、サイト名称、各種メニューボタン表示のためのキャプション、サイトＵＲＬ、および、引数のパラメータ書式が提供される。このようなリンク情報データを、システム提供者側のリンク情報提供サーバーｄから取得する仕組みとすることで、利用者が任意に選択するサイトの変更に合わせたリンク情報の変更を、迅速に、全ての利用者端末に反映させることが可能になる。」，「リンク情報提供サーバーｄから提供されるリンク情報データは、図５に示すような構成を定義するスキーマに従ったインターフェースメニュー情報を格納したＸＭＬデータであり、」との記載、上記Ｇの「これに対し、本例のシステムでは、利用者により第２サイトメニュー３０１５，３０１６の中から任意の第２サイト（例えば、米国特許庁ホームページにおける特許情報検索サイト）が選択されたときに、リンク情報提供サーバーｄからプログラム起動時に取得したリンク情報データ内の、第２サイトの引数となるパラメータ書式に従って、該第２サイトで検索を行うための必要データを取得し、変換したデータを引数とする。」との記載からすると、リンク情報データは、インターフェースメニュー情報を格納したＸＭＬデータとして提供され、利用者端末において起点となる複数の第１サイトの情報と、複数の第２サイトの情報をリンクさせ、第２サイトで検索を行うための必要データを取得することは明らかであるから、引用文献１には、
「リンク情報データを有する利用者端末の画面上の複数のソースメニューから、利用者により任意の第１サイトが選択されるステップであり、　
　前記リンク情報データは、構成を定義するスキーマに従ったインターフェースメニュー情報を格納したＸＭＬデータであり、リンク情報提供サーバーから提供され、起点となる複数の第１サイトの情報（サイト名称、サイトＵＲＬなど）と、複数の第２サイトの情報（サイト名称、サイトＵＲＬ、引数のパラメータ書式など）をリンクさせ、選択された第２サイトで検索を行うための必要データを取得する。」　
態様が記載されていると解される。　
　
（ウ）上記Ｆの「利用者により、利用者端末ａの画面上の複数のソースメニューから、任意の第１サイト（例えば日本国特許庁の特許電子図書館サイト）が選択されると、プログラムは、リンク情報提供サーバーｄから取得した該当のＵＲＬより、その第１サイトの文献情報提供サーバーｂのホームページデータを取得して第１サイトで提供されるサービス内容をソース表示画面３０２に表示する（Ｓ２）。」との記載、上記Ｇの「そして、利用者による検索条件の入力、検索実行の指示等に基づく、遷移したＵＲＬ情報とＨＴＭＬ情報の取得により、検索結果一覧表示であることを検知して、検索結果一覧データ（例えば、公開特許公報番号一覧）を内部メモリに記録し、更に、利用者により該検索結果一覧より任意選択された番号（例えば、任意の公開特許公報番号）を記憶する。具体的には、前記ＷＥＢブラウザコンポーネントの情報取得成功・完了（ Document Complete等） イベントが発生したタイミングで、検索結果一覧を表示するＵＲＬであることが確認された場合は、当該ＵＲＬからＨＴＴＰ経由でＨＴＭＬソーステキストを取得し、そこから、第２サイトで検索を行うための必要データを取得する(Ｓ３)。」，「検索実行指示により利用者によって入力された検索条件データは、検索システムに対して引数として与えられ、検索システムは利用者入力データを機械検索式に変換してデータベース検索を行い、条件に該当する検索結果一覧を表示する。」との記載からすると、利用者により第１サイトが選択されると、次に利用者は第１サイトの検索システムの検索条件データを入力し、第１サイトに送信していることは明らかであり、また、利用者によって入力された検索条件データは、第１サイトの検索システムに送信され、検索結果一覧は利用者端末において第１サイトから受信し、表示すると解されるから、引用文献１には、
「リンク情報データに従い表示された複数のソースメニューに基づき利用者により第１サイトが選択されると、検索実行指示により利用者によって入力された検索条件データは、検索システムに対して引数として与えられ、第１サイトに送信するステップと、　
　第１サイトに送信された利用者入力データに基づき第１サイトの検索システムがデータベース検索を行い、条件に該当する検索結果一覧を利用者端末が第１サイトから受信し、表示するステップ」
が記載されていると解される。
　
（エ）上記Ｅの「まず、利用者が利用者端末ａのプログラムを起動すると、プログラムはリンク情報提供サーバーｄに対してリンク情報をリクエストして、起点となる複数の第１サイトおよびリンク先となる複数の第２サイトへのリンク情報データの取得とメニュー表示を行う（Ｓ１）。本例では、起点となる複数の第１サイトの情報と、リンク先となる複数の第２サイト情報を、利用者端末ａの画面におけるメニューバー３０１に対して動的に生成する。」との記載、上記Ｇの「具体的には、前記ＷＥＢブラウザコンポーネントの情報取得成功・完了（ Document Complete等） イベントが発生したタイミングで、検索結果一覧を表示するＵＲＬであることが確認された場合は、当該ＵＲＬからＨＴＴＰ経由でＨＴＭＬソーステキストを取得し、そこから、第２サイトで検索を行うための必要データを取得する(Ｓ３)。」，「これに対し、本例のシステムでは、利用者により第２サイトメニュー３０１５，３０１６の中から任意の第２サイト（例えば、米国特許庁ホームページにおける特許情報検索サイト）が選択されたときに、リンク情報提供サーバーｄからプログラム起動時に取得したリンク情報データ内の、第２サイトの引数となるパラメータ書式に従って、該第２サイトで検索を行うための必要データを取得し、変換したデータを引数とする。」との記載からすると、第２サイトメニューは、利用者端末においてプログラム起動時にリンク情報データに基づき利用者により選択された第１サイトに応じて生成されると解され、また、リンク情報データ内の、第２サイトの引数となるパラメータ書式に従って、第１サイトの検索結果一覧から第２サイトで検索を行うための必要データを取得していると解されるから、引用文献１には、
「利用者により、リンク情報データに基づき第１サイトに応じて生成される第２サイトメニューの中から任意の第２サイトが選択されるステップと、
　リンク情報データに基づき第１サイトの検索結果一覧から、第２サイトで検索を行うための必要データを取得するステップ」
が記載されていると解される。
　
（オ）上記Ｃの「前記必要データに基づき、前記第１のサイトが提供する検索結果データを第２のサイトにおける検索に必要とする形式の引数に自動変換する段階と、前記変換後の引数を、利用者によって指定された第２のサイトに自動送信して当該第２のサイトにおいて自動検索を行う段階と、当該第２のサイトにおける検索結果を利用者端末に表示する段階と、を有することを特徴とする。」との記載、上記Ｇの「これに対し、本例のシステムでは、利用者により第２サイトメニュー３０１５，３０１６の中から任意の第２サイト（例えば、米国特許庁ホームページにおける特許情報検索サイト）が選択されたときに、リンク情報提供サーバーｄからプログラム起動時に取得したリンク情報データ内の、第２サイトの引数となるパラメータ書式に従って、該第２サイトで検索を行うための必要データを取得し、変換したデータを引数とする。」，「具体的には、前記インターフェースメニュー情報を格納したＸＭＬデータの第２サイトＵＲＬ中のパラメータ位置（％ｓ）に、パラメータリスト（ここでは、_JPO_Application Number）に記述した関数名に従った必要データ（ここでは、出願番号）による補完を行うことで、第２サイトＵＲＬを完成させる（図６参照）。」との記載からすると、利用者端末では第１サイトから取得した必要データ（検索結果データ）を、第２サイトで検索を行う形式に変換し、変換された必要データを引数として第２サイトに送信していると解されるから、引用文献１には、
「リンク情報データ内の第２サイトの引数となるパラメータ書式に従って、取得した第２サイトで検索を行うための必要データを変換するステップと、
　利用者端末は検索を行うための変換された必要データを引数として、第２サイトに送信するステップ」
が記載されていると解される。
　
　以上、（ア）乃至（オ）で指摘した事項から、引用文献１には、次の発明（以下、「引用発明」という。）が記載されているものと認める。
　
「ネットワークを介して互いに接続された利用者端末と複数のサイトとリンク情報提供サーバーにおいて、利用者端末が第１のサイトにおける情報の検索結果データを流用して他のサイトにおける情報の検索を自動的に行うことを可能としたサービス提供方法であって、　
　リンク情報データを有する利用者端末の画面上の複数のソースメニューから、利用者により任意の第１サイトが選択されるステップであり、　
　前記リンク情報データは、構成を定義するスキーマに従ったインターフェースメニュー情報を格納したＸＭＬデータであり、リンク情報提供サーバーから提供され、起点となる複数の第１サイトの情報（サイト名称、サイトＵＲＬなど）と、複数の第２サイトの情報（サイト名称、サイトＵＲＬ、引数のパラメータ書式など）をリンクさせ、選択された第２サイトで検索を行うための必要データを取得するものであって、　
　リンク情報データに従い表示された複数のソースメニューに基づき利用者により第１サイトが選択されると、検索実行指示により利用者によって入力された検索条件データは、検索システムに対して引数として与えられ、第１サイトに送信するステップと、　
　第１サイトに送信された利用者入力データに基づき第１サイトの検索システムがデータベース検索を行い、条件に該当する検索結果一覧を利用者端末が第１サイトから受信し、表示するステップと、　
　利用者により、リンク情報データに基づき第１サイトに応じて生成される第２サイトメニューの中から任意の第２サイトが選択されるステップと、　
　リンク情報データに基づき第１サイトの検索結果一覧から、第２サイトで検索を行うための必要データを取得するステップと、　
　リンク情報データ内の第２サイトの引数となるパラメータ書式に従って、取得した第２サイトで検索を行うための必要データを変換するステップと、
　利用者端末は検索を行うための変換された必要データを引数として、第２サイトに送信するステップと　
を含む方法。」
　
（２−２）引用文献２に記載されている技術的事項
　
　本願の優先日（２００６年１２月１１日）前に頒布され、原審の平成２４年９月２７日付けの拒絶理由通知において引用された、国際公開第２００６／０８９８８０号（２００６年８月３１日国際公開、以下、「引用文献２」という。訳には、パテントファミリーである特表２００８−５３２１１９号公報を参照した。）には、関連する図面とともに、以下の技術的事項が記載されている。
　
Ｈ　「FIELD OF THE INVENTION
The present invention is related to Web Services and is more particularly related to providing efficient client access to Web Services for pervasive devices.
BACKGROUND OF THK INVENTION;
With the growing popularity of pervasive devices and the increasing bandwidth of wireless communications, users want to have access to more services at their finger tips while traveling without a PC. For example, a mobile salesperson may need services such as company inventory lookup, customer order status check, customer address lookup, etc.
A Web service is a software system identified by a URI, whose public interfaces and bindings are defined and described using XML. Its definition can be discovered by other software systems. These systems may then interact with the Web service in a manner prescribed by its definition, using XML based messages conveyed by Internet protocols.」（第１頁３−１７行）　
訳；「【技術分野】
【０００１】
　本発明は、ウェブ・サービスに関し、特に、パーベイシブ装置用のウェブ・サービスへ効率的なクライアント・アクセスを行うことに関する。　
【背景技術】
【０００２】
　パーベイシブ装置の普及が高まり、無線通信の帯域幅が増大するにつれて、ユーザは、ＰＣを持たないで移動している間、より多くのサービスへのアクセスを直ちに利用したい。例えば、自由に行動している販売員は、会社の株式の検索、顧客注文状況のチェック、顧客の住所の検索などのようなサービスを必要とすることがある。　
【０００３】
　ウェブ・サービスは、ＸＭＬを用いて定義及び記述されているパブリック・インターフェース及びバインディングを有するＵＲＩによって識別されるソフトウェア・システムである。その定義を他のソフトウェア・システムによって検出することがある。次に、これらのシステムは、インターネット・プロトコルによって搬送されるＸＭＬベースのメッセージを用いる定義によって規定されるようにウェブ・サービスと対話することがある。」　
　
Ｊ　「The invention preferably comprises a server Generic Mobile Web Services (GMWS)Manager application running at a server. The GMWS Manager provides an interface between  mobile devices and Web Services. The interface with the Web Services is preferably WSDL (Web Service Design Language) .
Furthermore, the GMWS Manager maintains a Web Service Registry (WSR) which holds information about each web service that the GMWS Manager has access to on behalf of the mobile devices. The Web Service Registry preferably contains or has access to metadata that is used to provide the interfaces to both the Web Services and the Mobile Devices.
Preferably, the GMWS Manager is able to communicate with the Mobile devices in a variety of ways. The GMWS manager has access to a transcriber that transcribes voice, digital data, natural language and text to create Fast Path formatted structures to quickly access a particular web service. The mobile device preferably permits users to directly enter Fast Path formatted structures, bypassing the overhead of the transcriber function.
According to the invention, registered indication of one or more selected Web Services are stored in a local registry of the GMWS manager, the registered indication identifying the one or more selected Web Services. Furthermore, attributes of corresponding registered one or more selected Web Services are stored. Client requests are transformed to a form required by a first web service of the one or more selected Web Services based on the stored attributes. Client requests are forwarded to the first web service.
Furthermore, according to the invention, web service responses are transformed from the first web service based on the stored attributes to a form required by the client. Transformed web service responses are forwarded to the client.
A GUI representation of the registered one or more selected Web Services is presented to the client. 」（第４頁３５行−第５頁２８行）　
訳；「【００１６】
　本発明は、サーバで実行するサーバ汎用モバイル・ウェブ・サービス（ＧＭＷＳ）マネージャ・アプリケーションを備えるのが好ましい。ＧＭＷＳマネージャはモバイル装置とウェブ・サービスとの間のインターフェースをとる。ウェブ・サービスとのインターフェースは、ＷＳＤＬ（ウェブ・サービス設計言語）であるのが好ましい。　
【００１７】
　更に、ＧＭＷＳマネージャは、モバイル装置の代わりにＧＭＷＳマネージャがアクセスする各ウェブ・サービスに関する情報を保持するウェブ・サービス・レジストリ（ＷＳＲ）を維持する。ウェブ・サービス・レジストリは、ウェブ・サービス及びモバイル装置の両方とインターフェースをとるのに用いられるメタデータを含むか、または、このメタデータにアクセスするのが好ましい。　
【００１８】
　好ましくは、ＧＭＷＳマネージャは、様々な方法でモバイル装置と通信することができる。ＧＭＷＳマネージャは、特定のウェブ・サービスに迅速にアクセスするために音声、デジタル・データ、自然言語及びテキストを転写して高速パス・フォーマット設定構造を生成するトランスクライバにアクセスする。モバイル装置は、トランスクライバ機能のオーバーヘッドを回避してユーザが直接に高速パス・フォーマット設定構造に入力できるのが好ましい。　
【００１９】
　本発明によれば、１つ以上の選択されたウェブ・サービスの登録された指示はＧＭＷＳマネージャのローカル・レジストリに格納され、登録された指示は、１つ以上の選択されたウェブ・サービスを識別する。更に、登録された１つ以上の選択されたウェブ・サービスに対応する属性は格納される。クライアント・リクエストは、格納された属性に基づいて、１つ以上の選択されたウェブ・サービスの第１のウェブ・サービスによって必要とされる形式に変換される。クライアント・リクエストは第１のウェブ・サービスに転送される。　
【００２０】
　更に、本発明によれば、第１のウェブ・サービスからのウェブ・サービス応答は、格納された属性に基づいて、クライアントによって必要とされる形式に変換される。変換されたウェブ・サービス応答はクライアントに転送される。　
【００２１】
　登録された１つ以上の選択されたウェブ・サービスのＧＵＩ表現は、クライアントに表示される。」　
　
Ｋ　「The present invention provides Web Services by way of a server application to a mobile client device. The server application interprets keywords from the client device to a form compatible with a desired web service. Thus the client device requires minimal software knowledge of the web service as the server application manages the interfaces. Preferably, the server application has a list (registry) of supported Web Services and is able to provide the list to the client device. In a preferred embodiment, various forms of communications from the client device are supported. For example text or audio voice are supported whereby the server application provides a translator for translating voice into text or text into voice.
Referring now to FIG. 3, the present invention is implemented on a Client Device 310 (Preferably a mobile handheld computer or PDA for example) in communication with a Generic Mobile Web Services (GMWS) Manager 320. The GMWS Manager 320 has network access to Web Services 330 and a UDDI Registry 340. Preferably networks comprise the Internet. The communication protocol between 310 and 320, 320 and 330 are SOAP 301.」（第９頁４０行−第１０頁１４行）　
訳；「【００４０】
　本発明は、サーバ・アプリケーションを介してウェブ・サービスをモバイル・クライアント装置に提供する。サーバ・アプリケーションは、クライアント装置からのキーワードを、所望のウェブ・サービスと互換性がある形式に解釈する。従って、サーバ・アプリケーションはインターフェースを管理するので、クライアント装置はウェブ・サービスの最小限のソフトウェア知識しか必要としない。好ましくは、サーバ・アプリケーションは、サポートされたウェブ・サービスのリスト（レジストリ）を有し、リストをクライアント装置に提供することができる。好適な実施形態では、クライアント装置から通信の様々な形式がサポートされる。例えば、テキストまたはオーディオ音声がサポートされ、これによって、サーバ・アプリケーションは、音声をテキストに変換し、または、テキストを音声に変換する変換機構を備える。　
【００４１】
　次に図３に関して、本発明は、汎用モバイル・ウェブ・サービス（ＧＭＷＳ）マネージャ３２０と通信するクライアント装置３１０（好ましくは、例えばモバイル・ハンドヘルド・コンピュータまたはＰＤＡ）上で実施される。ＧＭＷＳマネージャ３２０は、ウェブ・サービス３３０及びＵＤＤＩレジストリ３４０にネットワーク・アクセスする。ネットワークはインターネットを備えるのが好ましい。クライアント装置３１０とＧＭＷＳマネージャ３２０との間の通信プロトコルと、ＧＭＷＳマネージャ３２０とウェブ・サービス３３０との間の通信プロトコルとはＳＯＡＰ３０１である。」　
　
　
３．対比
　
　本願発明と引用発明とを対比する。
　
（３−１）引用発明の「利用者端末」は、本願発明の「クライアント」に相当するものであり、引用発明の「サイト」はウェブ・サイトであることから、引用発明の「サービス」は、本願発明の「ウェブ・サービス」に対応する。
　してみると、引用発明の「ネットワークを介して互いに接続された利用者端末と複数のサイトとリンク情報提供サーバーにおいて、利用者端末が第１のサイトにおける情報の検索結果データを流用して他のサイトにおける情報の検索を自動的に行うことを可能としたサービス提供方法」と、本願発明の「汎用モバイル・ウェブ・サービス・マネージャ（以下「ＧＭＷＳＭ」と略記）を介してクライアントにウェブ・サービスを提供するための方法」は、ともに、“ネットワークを介してクライアントにウェブ・サービスを提供するための方法” である点で共通するといえる。
　
（３−２）引用発明の「利用者端末の画面上の複数のソースメニュー」は、各「ソースメニュー」がウェブ・サイトの提供する各サービスを特定する情報（名称、ＩＤなど）に対応していることは明らかであることから、本願発明の「ユーザに表示した、複数のウェブ・サービスの各々に対応している複数のウェブ・サービスＩＤ」に対応する。また、引用発明の「リンク情報データ」と本願発明の「相互依存型リスト」は、ともに、異なるウェブ・サービスを関係づける機能を有するデータであることから、引用発明の「リンク情報データ」と、本願発明の「相互依存型リスト」は、ともに、“関係データ” である点で共通するといえる。
　してみると、引用発明の「リンク情報データを有する利用者端末の画面上の複数のソースメニューから、利用者により任意の第１サイトが選択されるステップ」は、本願発明の「（ａ）ウェブ・サービスの相互依存型リストを有するクライアント・コンピュータが、ユーザ入力に応答して、ユーザに表示した、複数のウェブ・サービスの各々に対応している複数のウェブ・サービスＩＤの前記相互依存型リストから、第１のウェブ・サービスＩＤを選択するステップ」に対応するといえる。
　
（３−３）上記（３−２）の検討のとおり、引用発明の「リンク情報データ」と、本願発明の「相互依存型リスト」は、ともに、異なるウェブ・サービスを関係づける“関係データ”である点で共通するといえるが、引用発明の「リンク情報データ」は、第１サイトからの情報と、リンク先の第２サイトへの引数のパラメータ書式などの情報を関係づけていることから、両者は、「複数のウェブ・サービスのうち、第１のウェブ・サービスから受信される情報を、その後に要求される第２のウェブ・サービスと関係づけるものであり、要求へ渡される情報のセットが、第２のウェブ・サービスに利用され」る点でも共通している。また、引用発明の「リンク情報データ」はＸＭＬデータで定義及び記述され、「利用者端末」にインターフェースメニューを提供する点で、本願発明の「相互依存型リスト」と共通する機能を有している。
　してみると、引用発明の「構成を定義するスキーマに従ったインターフェースメニュー情報を格納したＸＭＬデータであり、リンク情報提供サーバーから提供され、起点となる複数の第１サイトの情報（サイト名称、サイトＵＲＬなど）と、複数の第２サイトの情報（サイト名称、サイトＵＲＬ、引数のパラメータ書式など）をリンクさせ、選択された第２サイトで検索を行うための必要データを取得する」ための「リンク情報データ」と、本願発明の「複数のウェブ・サービスを識別するリスト情報を含み、当該リスト情報は、前記複数のウェブ・サービスのうち前記第１のウェブ・サービスから受信される情報を、その後に要求される第２のウェブ・サービスと関係づけるものであり、要求へ渡される情報のセットが、その要求への応答を与えるその後に要求される第２のウェブ・サービスとして利用され、あるウェブ・サービスは、ＵＲＩによって識別されるソフトウエア・システムであって、そのパブリック・インタフェースおよびバインディングはＸＭＬを使用して定義及び記述される」「相互依存型リスト」は、ともに、“複数のウェブ・サービスのうち、第１のウェブ・サービスから受信される情報を、その後に要求される第２のウェブ・サービスと関係づけるものであり、要求へ渡される情報のセットが、第２のウェブ・サービスに利用され、そのインタフェースおよび関係づけはＸＭＬを使用して定義及び記述される”“関係データ”である点で共通するといえる。
　
（３−４）引用発明における「第１サイト」への「検索実行指示」は、本願発明の「第１のウェブ・サービス要求」に相当し、引用発明における「条件に該当する検索結果一覧」は、利用者の「検索実行指示」に対して「第１サイト」が応答して、「利用者端末」が受信した情報であることから、本願発明の「第１のウェブ・サービスからの第１の情報」に対応するといえる。
　してみると、引用発明の「リンク情報データに従い表示された複数のソースメニューに基づき利用者により第１サイトが選択されると、検索実行指示により利用者によって入力された検索条件データは、検索システムに対して引数として与えられ、第１サイトに送信するステップと、第１サイトに送信された利用者入力データに基づき第１サイトの検索システムがデータベース検索を行い、条件に該当する検索結果一覧を利用者端末が第１サイトから受信し、表示するステップ」は、本願発明の「（ｂ）前記リスト情報に従い、前記選択するステップ（ａ）に応答して、第１のウェブ・サービス要求を前記クライアント・コンピュータから前記第１のウェブ・サービスに送信するステップと、（ｃ）前記送信するステップ（ｂ）に応答して、前記第１のウェブ・サービスからの第１の情報を前記クライアント・コンピュータにおいて受信するステップ」に対応するといえる。
　
（３−５）引用発明では、「リンク情報データ」に基づき、選択された「第１サイト」に応じた「第２サイトメニュー」が「利用者端末」の画面にメニュー表示され、利用者はその中から「第２サイト」を選択することから、「リンク情報データ」に基づき「第２サイト」を選択しているといえる。また、引用発明では、「リンク情報データ」に基づき、「第１サイトの検索結果一覧」から「第２サイト」での検索で必要となるデータを取得していることから、「第１サイトの検索結果一覧」から少なくとも１の値を識別しているといえる。
　してみると、引用発明の「利用者により、リンク情報データに基づき第１サイトに応じて生成される第２サイトメニューの中から任意の第２サイトが選択されるステップと、リンク情報データに基づき第１サイトの検索結果一覧から、第２サイトで検索を行うための必要データを取得するステップ」は、本願発明の「（ｄ）ユーザ入力に応答して、前記相互依存型リストから前記第２のウェブ・サービスを選択するステップと、（ｅ）前記リスト情報に従い、前記第２のウェブ・サービス要求によって要求される第１の情報のうちから少なくとも１の値を識別するステップ」に対応するといえる。
　
（３−６）上記（３−５）の検討から、引用発明の「取得した第２サイトで検索を行うための必要データ」は、本願発明の「第１の情報から識別された少なくとも１の値」に相当するものである。また、引用発明では、「リンク情報データ」内の「第２サイト」の引数となるパラメータ書式に従って、取得した「第２サイト」で検索を行うための必要データを変換していることから、「第２サイト」へのウェブ・サービス要求を形成しているといえる。
　してみると、引用発明の「リンク情報データ内の第２サイトの引数となるパラメータ書式に従って、取得した第２サイトで検索を行うための必要データを変換するステップと、利用者端末は検索を行うための変換された必要データを引数として、第２サイトに送信するステップ」と、本願発明の「（ｆ）前記リスト情報に従い、前記第１の情報から識別された少なくとも１の値を含む第２のウェブ・サービス要求を形成するステップであって、ＧＭＷＳＭによって利用される第２のウェブ・サービスＩＤが第２のウェブ・サービス要求を第２のウェブ・サービスへとダイレクトするために利用される、前記第２のウェブ・サービス要求を形成するステップと、（ｇ）前記形成された第２のウェブ・サービス要求を前記クライアント・コンピュータから前記第２のウェブ・サービスに送信するステップ」は、ともに、“関係データに従い、第１の情報から識別された少なくとも１の値を含む第２のウェブ・サービス要求を形成するステップと、前記形成された第２のウェブ・サービス要求を前記クライアント・コンピュータから前記第２のウェブ・サービスに送信するステップ”である点で共通するといえる。
　
　以上から、本願発明と引用発明とは、以下の点で一致し、また、以下の点で相違する。
　
（一致点）
　
「ネットワークを介してクライアントにウェブ・サービスを提供するための方法であって、
　ウェブ・サービスの関係データを有するクライアント・コンピュータが、ユーザ入力に応答して、ユーザに表示した、複数のウェブ・サービスの各々に対応している複数のウェブ・サービスＩＤの前記関係データから、第１のウェブ・サービスＩＤを選択するステップを含み、
　前記関係データは、複数のウェブ・サービスのうち、前記第１のウェブ・サービスから受信される情報を、その後に要求される第２のウェブ・サービスと関係づけるものであり、要求へ渡される情報のセットが、前記第２のウェブ・サービスに利用され、そのインタフェースおよび関係づけはＸＭＬを使用して定義及び記述されるものであって、
　前記関係データに従い、前記第１のウェブ・サービスＩＤを選択するステップに応答して、第１のウェブ・サービス要求を前記クライアント・コンピュータから前記第１のウェブ・サービスに送信するステップと、
　前記送信するステップに応答して、前記第１のウェブ・サービスからの第１の情報を前記クライアント・コンピュータにおいて受信するステップと、
　ユーザ入力に応答して、前記関係データに基づき前記第２のウェブ・サービスを選択するステップと、
　前記関係データに従い、前記第２のウェブ・サービス要求によって要求される第１の情報のうちから少なくとも１の値を識別するステップと、
　前記関係データに従い、前記第１の情報から識別された少なくとも１の値を含む第２のウェブ・サービス要求を形成するステップと、
　前記形成された第２のウェブ・サービス要求を前記クライアント・コンピュータから前記第２のウェブ・サービスに送信するステップと
をさらに含む、方法。」
　
（相違点１）
　
　システム構成に関して、本願発明では、汎用モバイル・ウェブ・サービス・マネージャ（以下「ＧＭＷＳＭ」と略記）を介してクライアントにウェブ・サービスが提供されるのに対して、引用発明では、利用者端末と複数のサイトとリンク情報提供サーバーとがネットワークを介して互いに接続されているが、サイトからのウェブ・サービスの提供は、リンク情報提供サーバーを介して行われてはいない点。
　
（相違点２）
　ウェブ・サービスの関係データに関して、本願発明では、クライアント・コンピュータが「相互依存型リスト」を有し、「相互依存型リストは、複数のウェブ・サービスを識別するリスト情報を含み、当該リスト情報は、前記複数のウェブ・サービスのうち前記第１のウェブ・サービスから受信される情報を、その後に要求される第２のウェブ・サービスと関係づけるものであり、要求へ渡される情報のセットが、その要求への応答を与えるその後に要求される第２のウェブ・サービスとして利用され、あるウェブ・サービスは、ＵＲＩによって識別されるソフトウエア・システムであって、そのパブリック・インタフェースおよびバインディングはＸＭＬを使用して定義及び記述される」のに対して、引用発明では、利用者端末が「リンク情報データ」を有し、「リンク情報データは、構成を定義するスキーマに従ったインターフェースメニュー情報を格納したＸＭＬデータであり、リンク情報提供サーバーから提供され、起点となる複数の第１サイトの情報（サイト名称、サイトＵＲＬなど）と、複数の第２サイトの情報（サイト名称、サイトＵＲＬ、引数のパラメータ書式など）をリンクさせ、選択された第２サイトで検索を行うための必要データを取得するもの」である点。
　
（相違点３）
　第２のウェブ・サービス要求を形成するステップに関して、本願発明では、「ＧＭＷＳＭによって利用される第２のウェブ・サービスＩＤが第２のウェブ・サービス要求を第２のウェブ・サービスへとダイレクトするために利用される」のに対して、引用発明ではそのようなことは行っていない点。
　
　
４．当審の判断
　
　上記相違点１乃至相違点３について検討する。
　
（４−１）相違点１及び相違点３について
　
　引用文献１には、「書式や入力項目自体が異なる可能性がある二つのサイト間での情報の流用を行うことは不可能である。…（中略）…、その目的とする処は、利用者が、第１のサイトで取得した検索結果を元に第２のサイトでリンク情報の検索を行う場合、マウス操作による複写，貼り付けやキー入力による検索条件入力、別資料の参照や他の検索作業といった余分な手間を一切必要とせず、第２のサイトの指定のみで自動的に該サイトでの検索を行うことができる新規なサービス提供方法とそのシステムを提供することにある。」（上記Ｂ参照）と記載されており、引用発明が課題とすることは、複数のサイトからサービスの提供を受ける利用者端末を操作する利用者の利便性の向上であるから、「利用者端末」の種類に限定はなく、ＰＤＡのようなモバイル端末をも対象とするのは明らかである。また、「リンク情報データ」を提供する「リンク情報提供サーバー」を介することなく、サイトから利用者端末にウェブ・サービスを提供していることが、課題解決に欠くことのできない条件ではないことも明らかである。
　一方、引用文献２（上記Ｊ，Ｋ参照）に記載されているように、モバイル装置であるクライアント端末がサポートされたウェブ・サービスのリスト情報を有し、汎用モバイル・ウェブ・サービス・マネージャ（以下「ＧＭＷＳＭ」と略記）を介して、クライアント端末にウェブ・サービスを提供するシステムは、本願優先日前には周知であった。また、引用文献２（上記Ｊ参照）に記載されているように、このようなシステムにおいて、クライアントからのリクエストは、ＧＭＷＳＭにおいて選択されたウェブ・サービスによって必要とされる形式に変換され、当該ウェブ・サービスに転送されることも周知技術であった。
　そうすると、引用発明が課題とすることは、引用発明と同様にクライアントにウェブ・サービスを提供する、本願優先日前に周知であったＧＭＷＳＭを介してクライアントにウェブ・サービスを提供するシステムにおいても存在することは、当業者にとっては自明な事項であった。　
　してみると、引用発明を、本願優先日前に周知であったＧＭＷＳＭを介してクライアントにウェブ・サービスを提供するシステムに適用し、適宜、「リンク情報提供サーバー」に代えて、「汎用モバイル・ウェブ・サービス・マネージャ（ＧＭＷＳＭ）」が「リンク情報データ」を提供するようにするとともに、ＧＭＷＳＭによって利用される第２のウェブ・サービスＩＤが第２のウェブ・サービス要求を第２のウェブ・サービスへとダイレクトするために利用されるようにすること、すなわち、相違点１及び相違点３に係る構成とすることは、当業者が容易に想到し得たことである。　
　
　よって、相違点１及び相違点３は格別なものではない。
　
（４−２）相違点２について
　
　引用発明において、利用者端末に実装される「リンク情報データ」は、構成を定義するスキーマに従ったインターフェースメニュー情報を格納したＸＭＬデータであり、リンク情報提供サーバーから提供され、起点となる複数の第１サイトの情報（サイト名称、サイトＵＲＬなど）と、複数の第２サイトの情報（サイト名称、サイトＵＲＬ、引数のパラメータ書式など）をリンクさせるとともに、第１サイトの検索結果から選択された第２サイトで検索を行うための必要データを取得させる機能を有することから、選択された第１サイトから受信した情報を、選択された第２のサイトで提供されるウェブ・サービスと関係づける処理を実質的に行っていると解される。そして、このような関係づけを、サイトが提供する複数のウェブ・サービスの間の相互依存のリストとして集約することは、当業者が適宜選択し得た設計的事項であった。
　また、このように関係づけられるウェブ・サービスが、ＵＲＩによって識別されるソフトウエア・システムであって、そのパブリック・インタフェースおよびバインディングがＸＭＬを使用して定義及び記述可能であることも、例えば引用文献２（上記Ｈ参照）に記載されているように、本願優先日前に当業者にとって周知の技術的事項であった。
　してみると、引用発明において、上記周知技術に基づき、インターフェースメニュー情報を格納したＸＭＬデータであり、リンク情報提供サーバーから提供され、起点となる複数の第１サイトの情報と、複数の第２サイトの情報を引数のパラメータ書式などでリンクさせ、選択された第２サイトで検索を行うための必要データを取得する「リンク情報データ」に代えて、「相互依存型リスト」を利用者端末に実装するようにして、当該「相互依存型リスト」を、複数のウェブ・サービスを識別するリスト情報を含み、当該リスト情報は、前記複数のウェブ・サービスのうち前記第１のウェブ・サービスから受信される情報を、その後に要求される第２のウェブ・サービスと関係づけ、渡される情報のセットを第２のウェブ・サービスで利用可能とし、ＵＲＩで識別されるウェブ・サービスのパブリック・インタフェースおよびバインディングについてＸＭＬで定義及び記述すること、すなわち、相違点２に係る構成とすることは、当業者が容易に想到し得たことである。
　
　よって、相違点２は格別なものではない。
　
（４−３）小括
　
　上記で検討したごとく、相違点１乃至相違点３は格別のものではなく、そして、これらの相違点を総合的に勘案しても、本願発明の奏する作用効果は、上記引用発明及び周知技術の奏する作用効果から予測される範囲内のものにすぎず、格別顕著なものということはできない。
　
５．むすび 
　
　以上のとおり、本願の請求項１に係る発明は、特許法第２９条第２項の規定により特許を受けることができないものであるから、その余の請求項に係る発明について検討するまでもなく、本願は拒絶すべきものである。 
　
　よって、結論のとおり審決する。